(57)【特許請求の範囲】
【請求項１】
容器本体の背面側に蓋をヒンジ結合してなり、容器本体が前面板、背面板及び両側面板をそれらの上縁部で容器内側に折返した折返し板を備え、この折返し板を前面板、背面板、両側面板の裏面に接着してなる容器であり、
容器本体は前面板の折返し板の外縁部を前面板の裏面に接着し、該前面板の上縁部の側であって容器を持ち上げる使用者の手指でつかむことができ、かつ折返し板に対応する位置に差込部を備えてなり、
蓋は天面の周囲４辺に前面板と背面板と両側面板を立下げ、背面板を容器本体の背面板にヒンジ結合し、容器底面に対し略水平をなす前面板の下縁部に突出状の舌片を備え、
蓋を容器本体に被着した閉蓋状態で、蓋の前面板の舌片を容器本体の前面板に設けた差込部から該前面板の裏面側に差込むとともに、蓋の舌片が差込まれる差込部を形成する容器本体の上に凸の前面板を、蓋の前面板における略水平な下縁部より上部にまでオーバーラップさせる容器。
【請求項２】
前記容器本体の前面板の差込部の両端部で、該両端部の上下に渡って付された切込線からなる差込誘導部を備えてなる請求項１に記載の容器。
【請求項３】
前記容器本体の前面板の差込部の幅方向中央部に対応する位置に付されたミシン目線又は切込線からなる差込誘導部を備えてなる請求項１又は２に記載の容器。
【発明の詳細な説明】
【０００１】
【発明の属する技術分野】
本発明は洗剤等のための容器に関する。
【０００２】
【従来の技術】
容器として、特許第２６５６９０３号公報に記載の如く、容器本体の前面板の上部に係止舌片を設け、蓋の前面板の内側に形成した係止凹部を容器本体の上記係止舌片に係止して閉蓋するものがある。
【０００３】
【発明が解決しようとする課題】
しかしながら、従来技術には以下の問題点がある。
▲１▼蓋の内側の係止凹部が容器本体の係止舌片に係止しているか否かを、容器の外側から容易には確認できない。従って、容器の閉蓋度合の確認に困難がある。
【０００４】
▲２▼容器の運搬に際し、使用者の手指が蓋の前面板だけをつかんでしまい易く、この状態で容器を持ち上げると、容器本体が蓋から外れて容器本体が内容物の重みでひっくり返り、内容物がこぼれ出てしまう虞がある。
【０００５】
本発明の課題は、容器の閉蓋度合を容易に確認可能とすることにある。
【０００６】
また、本発明の課題は、容器の蓋と容器本体を確実につかんで運搬可能とすることにある。
【０００７】
【課題を解決するための手段】
請求項１に記載の本発明は、容器本体の背面側に蓋をヒンジ結合してなり、容器本体が前面板、背面板及び両側面板をそれらの上縁部で容器内側に折返した折返し板を備え、この折返し板を前面板、背面板、両側面板の裏面に接着してなる容器であり、容器本体は前面板の折返し板の外縁部を前面板の裏面に接着し、該前面板の上縁部の側であって容器を持ち上げる使用者の手指でつかむことができ、かつ折返し板に対応する位置に差込部を備えてなり、蓋は天面の周囲４辺に前面板と背面板と両側面板を立下げ、背面板を容器本体の背面板にヒンジ結合し、容器底面に対し略水平をなす前面板の下縁部に突出状の舌片を備え、蓋を容器本体に被着した閉蓋状態で、蓋の前面板の舌片を容器本体の前面板に設けた差込部から該前面板の裏面側に差込むとともに、蓋の舌片が差込まれる差込部を形成する容器本体の上に凸の前面板を、蓋の前面板における略水平な下縁部より上部にまでオーバーラップさせるようにしたものである。
【０００８】
【発明の実施の形態】
容器１０は、図１、図２に示す如く、容器本体１１に蓋２１を開閉自在に備えたものであり、容器本体１１の背面側に蓋２１をヒンジ結合している。
容器本体１１は、板紙の折曲体であり、底板１２（不図示）の周囲４辺に、前面板１３Ａと背面板１３Ｂと両側面板１３Ｃ、１３Ｄを立上げ、開口部１４を備える。
【０００９】
蓋２１は、板紙の折曲体であり、天板２２の周囲４辺に、前面板２３Ａと背面板２３Ｂと両側面板２３Ｃ、２３Ｄを立下げ、背面板２３Ｂを容器本体１１の背面板１３Ｂにヒンジ結合している。
【００１０】
このとき、容器本体１１は、図３に示す如く、前面板１３Ａ、背面板１３Ｂ及び両側面板１３Ｃ、１３Ｄをそれらの上縁部で容器内側に折返した折返し板１５を備え、この折返し板１５の外縁部を前面板１３Ａ、背面板１３Ｂ、両側面板１３Ｃ、１３Ｄの裏面に接着部１６で接着し、前面板１３Ａの折返し板１５に対応する部分（接着部１６に囲まれる非接着部分）に差込部１７を備える。差込部１７は、図１、図２に示す如く、上に凸のドーム状切込線からなる。
【００１１】
また、蓋２１は、図１、図２に示す如く、容器本体１１に被着される閉蓋状態で、容器本体１１の差込部１７に差込まれる舌片２４を備える。
【００１２】
更に、蓋２１の舌片２４は前面板２３Ａに突出状をなすように設けられる。そして、蓋２１の容器本体１１への閉蓋状態で、容器本体１１のドーム状差込部１７は、蓋２１の前面板２３Ａに高さＨの範囲に渡ってオーバーラップする（図２）。
【００１３】
尚、容器本体１１は、図１に示す如く、前面板１３Ａにおける差込部１７の周辺に、蓋２１のための差込誘導部１８、１９を備える。差込誘導部１８は、前面板１３Ａの上縁部と差込部１７の間で、差込部１７の幅方向中央部に対応する位置にミシン目線又は切込線を付したものであり、前面板１３Ａにおける差込部１７の上部を該差込部１７の下部に対し引込み変形させて凹面状とし、差込部１７の上部に舌片２４のための誘導路を形成する。差込誘導部１９は、差込部１７の両端部で、上下に渡る切込線１９Ａ、１９Ｂを付したものであり、前面板１３Ａにおける差込部１７の上部を上切込線１９Ａにより引込み変形させるとともに、差込部１７の下部を下切込線１９Ｂにより出っ張り変形させることにより、差込部１７の上部に舌片２４のための誘導路を形成する。
【００１４】
従って、本実施形態によれば、以下の作用がある。
ａ  容器１０の閉蓋時に、蓋２１の舌片２４が容器本体１１の差込部１７に完全に差込まれているか否かを、容器１０の外側から容易に確認でき、容器１０の閉蓋度合（密封度合）を容易に確認できる。
【００１５】
ｂ  容器本体１１は前面板１３Ａに差込部１７を設けられるものの、この差込部１７の裏側は、折返し板１５により封止されており、容器１０の密封性を確保できる。
【００１６】
ｃ  蓋２１の舌片２４を容器本体１１の差込部１７に差込んだ閉蓋状態で、容器本体１１の差込部１７を蓋２１の前面板２３Ａの側にまでオーバーラップ状になるようにした。従って、容器１０の運搬に際し、使用者は手指で蓋２１の前面板２３Ａと容器本体１１の差込部１７とを重ねてつかみ、蓋２１の前面板２３Ａだけをつかむことはむしろ困難になる。このため、容器１０の持上げは、蓋２１と容器本体１１を確実につかみ、容器本体１１のひっくり返りによる内容物の流出を回避できる。
【００１７】
ｄ  容器本体１１の前面板１３Ａに差込誘導部１８、１９を備えることにより、前面板１３Ａにおける差込部１７の上部は引込み、下部は出っ張り状として差込部１７を開き、蓋２１の舌片２４の差込部１７への差込性を向上できる。
【００１８】
ｅ  差込部１７を上に凸のドーム状切込線にて形成したので、舌片２４を差込部１７に差込み開始するとき、舌片２４の外縁が差込部１７に接する線長を短くし、その差込抵抗を小とし、差込性を良好にする。舌片２４の外縁を下に凸のドーム状とすることにより、この差込性は一層向上できる。
【００１９】
尚、本発明の実施において、容器本体と蓋は、板紙にプラスチックフィルムを積層したラミネート紙を用いるものであっても良い。
【００２０】
また、容器本体と蓋は、１枚の板紙から折曲形成されるものであっても良い。
【００２１】
【発明の効果】
以上のように本発明によれば、容器の閉蓋度合を容易に確認できる。
【００２２】
また、本発明によれば、容器の蓋と容器本体を確実につかんで運搬できる。
【図面の簡単な説明】
【図１】図１は容器の開蓋状態を示す斜視図である。
【図２】図２は容器の閉蓋状態を示す斜視図である。
【図３】図３は蓋の舌片の差込状態を示す模式図である。
【符号の説明】
１０  容器
１１  容器本体
１３Ａ  前面板
１５  折返し板
１６  接着部
１７  差込部
１８、１９  差込誘導部
２１  蓋
２３Ａ  前面板
２４  舌片
【図１】
0003558271.tif 000002
【図２】
0003558271.tif 000003
【図３】
0003558271.tif 000004